(57)【要約】【課題】外部から電源を供給する給電ケーブル、外部から制御を行うために制御ケーブル等を不要にし、受信性能の向上を図ることを可能にする分配受信システムと分配器を提供する。【解決手段】入力信号Ｓinを増幅するアンプＡＭＰと、アンプＡＭＰで増幅された信号Ｓginを分配信号Ｓgin1，Ｓgin2に分配して複数の各チューナーＡ，Ｂに供給する分配回路ＤＶを有する分配器１を備え、分配器１には、アンプＡＭＰの動作に必要な電源Ｖccを、複数の何れか一のチューナーＢに設けられている電源供給回路ＶＲbからの供給を受けてアンプＡＭＰに給電する電源ラインＬＮ2を備える。また、入力信号Ｓinに含めて所定周波数帯域の信号を分配器１に供給するコンバーターの動作に必要な電源Ｖddを、複数の何れかのチューナーＡに設けられている電源供給回路ＶＲaからの供給を受けてコンバーターに給電する電源ラインＬＮ1を設ける。【選択図】図２
2008294571.tif 000002
【特許請求の範囲】
【請求項１】
入力信号を分配して複数のチューナーに供給する分配受信システムであって、
前記入力信号を増幅する増幅手段と、前記増幅手段で増幅された信号を分配信号に分配して前記複数の各チューナーに供給する分配手段とを有する分配器を備え、
前記分配器には、前記増幅手段の動作に必要な電源を、前記複数の何れか一のチューナーに設けられている電源供給手段からの供給を受けて前記増幅手段に給電する第１の電源ラインを有すること、
を特徴とする分配受信システム。
【請求項２】
前記分配器は、前記入力信号に含めて所定周波数帯域の信号を前記分配器に供給するコンバーターの動作に必要な電源を、前記複数の何れかのチューナーに設けられている電源供給手段からの供給を受けて前記コンバーターに給電する第２の電源ラインを更に有すること、
を特徴とする請求項１に記載の分配受信システム。
【請求項３】
前記第１の電源ラインは、前記分配器から前記一のチューナーに前記分配信号を供給する信号ラインに接続され、当該信号ラインを通じて前記電源供給手段からの電源を前記増幅手段に供給すること、
を特徴とする請求項１又は２に記載の分配受信システム。
【請求項４】
前記第２の電源ラインは、前記所定周波数帯域の信号を検波復調するチューナーに供給する信号ラインに接続され、当該信号ラインを通じて前記所定周波数帯域の信号を検波復調するチューナーに設けられている電源供給手段からの電源を前記コンバーターに供給すること、
を特徴とする請求項２又は３に記載の分配受信システム。
【請求項５】
前記第２の電源ラインは、前記所定周波数帯域の信号を検波復調するチューナーに供給する信号ラインに接続された切替スイッチを介して、前記所定周波数帯域の信号を検波復調するチューナーに設けられている電源供給手段からの電源を前記コンバーターに供給し、
前記切替スイッチは、前記所定周波数帯域の信号を検波復調するチューナーに設けられている電源供給手段からの電源が供給されると、当該電源を前記第２の電源ラインに供給し、当該電源が供給されないときには、前記増幅手段で増幅された信号を前記分配手段に供給する切替動作をするスイッチで形成されていること、
を特徴とする請求項２又は３に記載の分配受信システム。
【請求項６】
入力信号を分配して複数のチューナーに供給する分配受信システムに設けられる分配器であって、
前記入力信号を増幅する増幅手段と、
前記増幅手段で増幅された信号を分配信号に分配して前記複数の各チューナーに供給する分配手段と、
前記増幅手段の動作に必要な電源を、前記複数の何れか一のチューナーに設けられている電源供給手段からの供給を受けて前記増幅手段に給電する第１の電源ラインを有すること、
を特徴とする分配器。
【請求項７】
前記入力信号に含めて所定周波数帯域の信号を前記分配器に供給するコンバーターの動作に必要な電源を、前記複数の何れかのチューナーに設けられている電源供給手段からの供給を受けて給電する第２の電源ラインを更に有すること、
を特徴とする請求項６に記載の分配器。
【請求項８】
前記第１の電源ラインは、前記分配手段から前記一のチューナーに前記分配信号を供給する信号ラインに接続され、当該信号ラインを通じて前記電源供給手段からの電源を前記増幅手段に給電すること、
を特徴とする請求項６又は７に記載の分配器。
【請求項９】
前記第２の電源ラインは、前記所定周波数帯域の信号を検波復調するチューナーに供給する信号ラインに接続され、当該信号ラインを通じて前記所定周波数帯域の信号を検波復調するチューナーに設けられている電源供給手段からの電源を前記コンバーターに給電すること、
を特徴とする請求項７又は８に記載の分配器。
【請求項１０】
前記第２の電源ラインは、前記所定周波数帯域の信号を検波復調するチューナーに供給する信号ラインに接続された切替スイッチを介して、前記所定周波数帯域の信号を検波復調するチューナーに設けられている電源供給手段からの電源を前記コンバーターに供給し、
前記切替スイッチは、前記所定周波数帯域の信号を検波復調するチューナーに設けられている電源供給手段からの電源が供給されると、当該電源を前記第２の電源ラインに供給し、当該電源が供給されないときには、前記増幅手段で増幅された信号を前記分配手段に供給する切替動作をするスイッチで形成されていること、
を特徴とする請求項７又は８に記載の分配器。
【発明の詳細な説明】
【技術分野】
【０００１】
本発明は、例えばテレビジョン放送等を受信する受信システムに設けられる分配器と分配受信システムに関する
【背景技術】
【０００２】
例えばテレビジョン放送受像機では、ＦＭ放送、ＢＳ放送、ＣＳ放送、地上ディジタル放送、ＵＨＦ帯とＶＨＦ帯のアナログテレビジョン放送（ＵＨＦ帯とＶＨＦ帯のアナログテレビジョン放送）等の複数の放送波が混合された混合信号に基づいて各放送を受信するため、混合信号を分配器で分配して、各放送を受信するための個々のチューナーに個別に供給する分配受信システムが一般に用いられている（例えば、特開２００３−２８９２６０号公報）。
【０００３】
図１（ａ）（ｂ）は、ＢＳ放送波とＵＨＦ帯及びＶＨＦ帯の放送波が混合された混合信号（ＢＳ・ＵＶ信号）Ｓinを分配して各チューナーに供給する従来の分配受信システムの構成例を示している。
【０００４】
図１（ａ）の分配受信システムでは、ＢＳチューナーの前段に、アンプと交流カップリング用のコンデンサーＣ0，Ｃ1，Ｃ2を有する分配器が設けられている。分配器において、混合信号ＳinをコンデンサーＣ0を介して入力し、アンプで増幅して分配し、分配した一方の混合信号をコンデンサーＣ1を介して一方のＢＳチューナーに供給し、他方の混合信号をコンデンサーＣ2を介して他方のＢＳチューナーに供給するようになっている。
【０００５】
更に、分配器には、コンデンサーＣ0の入力側から図示しないＢＳコンバーターの動作に必要な電源Ｖddを供給するための外部電源入力端子（Ｖdd）と、アンプの動作に必要な電源Ｖccを供給するための外部電源入力端子（Ｖcc）と、分配器のグランド電位ＧＮＤを設定するための外部入力端子（Ｖcom）が設けられている。かかる構成の分配受信システムにより、分配器から、ＢＳアンテナに設けられているＢＳコンバーターに電源Ｖddを供給しつつ、分配した混合信号に含まれるＢＳ放送波を各ＢＳチューナーにおいて検波復調させる。
【０００６】
図１（ｂ）の分配受信システムでは、ＵＨＦ／ＶＨＦチューナーの前段に、アンプと交流カップリング用のコンデンサーＣ0，Ｃ1，Ｃ2と切替スイッチを有する分配器が設けられている。ここで、切替スイッチは、一方の入力接点がアンプの入力端子側に接続され、他方の入力接点がアンプの出力端子側に接続され、出力接点がコンデンサーＣ1，Ｃ2に接続された２入力１出力型のスイッチ素子で形成されている。更に、分配器には、アンプの動作に必要な電源Ｖccを供給するための外部電源入力端子（Ｖcc）と、分配器のグランド電位ＧＮＤを設定するための外部入力端子（Ｖcom）と、切替スイッチを切替制御する制御信号ＣＮＴを供給するための外部入力端子（ＣＮＴ）が設けられている。
【０００７】
そして、ユーザーが放送を視聴する際には、外部電源入力端子（ＣＮＴ）を介して外部から供給される制御信号ＣＮＴに従って、切替スイッチが図示するようにアンプの入力端子側に切り替わり、混合信号ＳinをコンデンサーＣ0と切替スイッチを通じて入力して分配し、分配した一方の混合信号をコンデンサーＣ1を介して一方のＵＨＦ／ＶＨＦチューナーに供給し、他方の混合信号をコンデンサーＣ2を介して他方のＵＨＦ／ＶＨＦチューナーに供給する。
【０００８】
また、混合信号Ｓinの強さによって、外部電源入力端子（ＣＮＴ）に制御信号ＣＮＴが供給されずに切替スイッチがアンプの出力端子側に切り替わる。そして、混合信号ＳinをコンデンサーＣ0を介して入力し、アンプで増幅して切替スイッチに通してから分配し、分配した混合信号をコンデンサーＣ1を介して一方のＵＨＦ／ＶＨＦチューナーに供給し、他方の混合信号をコンデンサーＣ2を介して他方のＵＨＦ／ＶＨＦチューナーに供給するようになっている。
【０００９】
かかる構成の分配受信システムにより、分配した混合信号に含まれるＵＨＦ帯及びＶＨＦ帯の放送波を各チューナーで検波復調させる。
【００１０】
【特許文献１】特開２００３−２８９２６０号公報
【発明の開示】
【発明が解決しようとする課題】
【００１１】
ところが、上記例示した従来技の分配受信システムでは、分配器への電源Ｖcc，Ｖddの給電と切替スイッチの切替制御とを、外部入力端子（Ｖcc）（Ｖdd）（Ｖcom）（ＣＮＴ）に別途接続した給電ケーブルと制御ケーブルを介して行うようになっているため、それら給電ケーブルと制御ケーブルに外来ノイズ等が重畳してしまい、受信性能が劣化する傾向にあった。
【００１２】
また、分配器の他に、給電ケーブルと制御ケーブルが必要であるため、部品点数が増加する問題があり、更に分配受信システムを構成する際に手間が掛かる等、作業性が悪いという問題があった。
【００１３】
本発明は、このような従来技術の問題点に鑑みて成されたものであり、給電ケーブル、制御ケーブル等を不要にし、受信性能の向上を図ることを可能にする分配受信システムと分配器を提供することを目的とする。
【課題を解決するための手段】
【００１４】
請求項１に記載の発明は、入力信号を分配して複数のチューナーに供給する分配受信システムであって、前記入力信号を増幅する増幅手段と、前記増幅手段で増幅された信号を分配信号に分配して前記複数の各チューナーに供給する分配手段とを有する分配器を備え、前記分配器には、前記増幅手段の動作に必要な電源を、前記複数の何れか一のチューナーに設けられている電源供給手段からの供給を受けて前記増幅手段に給電する第１の電源ラインを有すること、を特徴とする。
【００１５】
また、分配受信システムにおいて、前記分配器は、前記入力信号に含めて所定周波数帯域の信号を前記分配器に供給するコンバーターの動作に必要な電源を、前記複数の何れかのチューナーに設けられている電源供給手段からの供給を受けて前記コンバーターに給電する第２の電源ラインを更に有すること、を特徴とする。
【００１６】
また、分配受信システムにおいて、前記第１の電源ラインは、前記分配器から前記一のチューナーに前記分配信号を供給する信号ラインに接続され、当該信号ラインを通じて前記電源供給手段からの電源を前記増幅手段に供給すること、を特徴とする。
【００１７】
また、分配受信システムにおいて、前記第２の電源ラインは、前記所定周波数帯域の信号を検波復調するチューナーに供給する信号ラインに接続され、当該信号ラインを通じて前記所定周波数帯域の信号を検波復調するチューナーに設けられている電源供給手段からの電源を前記コンバーターに供給すること、を特徴とする。
【００１８】
また、分配受信システムにおいて、前記第２の電源ラインは、前記所定周波数帯域の信号を検波復調するチューナーに供給する信号ラインに接続された切替スイッチを介して、前記所定周波数帯域の信号を検波復調するチューナーに設けられている電源供給手段からの電源を前記コンバーターに供給し、前記切替スイッチは、前記所定周波数帯域の信号を検波復調するチューナーに設けられている電源供給手段からの電源が供給されると、当該電源を前記第２の電源ラインに供給し、当該電源が供給されないときには、前記増幅手段で増幅された信号を前記分配手段に供給する切替動作をするスイッチで形成されていること、を特徴とする。
【００１９】
請求項６に記載の発明は、入力信号を分配して複数のチューナーに供給する分配受信システムに設けられる分配器であって、前記入力信号を増幅する増幅手段と、前記増幅手段で増幅された信号を分配信号に分配して前記複数の各チューナーに供給する分配手段と、前記増幅手段の動作に必要な電源を、前記複数の何れか一のチューナーに設けられている電源供給手段からの供給を受けて前記増幅手段に給電する第１の電源ラインを有すること、を特徴とする。
【００２０】
また、分配器において、前記入力信号に含めて所定周波数帯域の信号を前記分配器に供給するコンバーターの動作に必要な電源を、前記複数の何れかのチューナーに設けられている電源供給手段からの供給を受けて給電する第２の電源ラインを更に有すること、を特徴とする。
【００２１】
また、分配器において、前記第１の電源ラインは、前記分配手段から前記一のチューナーに前記分配信号を供給する信号ラインに接続され、当該信号ラインを通じて前記電源供給手段からの電源を前記増幅手段に給電すること、を特徴とする。
【００２２】
また、前記第２の電源ラインは、前記所定周波数帯域の信号を検波復調するチューナーに供給する信号ラインに接続され、当該信号ラインを通じて前記所定周波数帯域の信号を検波復調するチューナーに設けられている電源供給手段からの電源を前記コンバーターに給電すること、を特徴とする。
【００２３】
また、分配器において、前記第２の電源ラインは、前記所定周波数帯域の信号を検波復調するチューナーに供給する信号ラインに接続された切替スイッチを介して、前記所定周波数帯域の信号を検波復調するチューナーに設けられている電源供給手段からの電源を前記コンバーターに供給し、前記切替スイッチは、前記所定周波数帯域の信号を検波復調するチューナーに設けられている電源供給手段からの電源が供給されると、当該電源を前記第２の電源ラインに供給し、当該電源が供給されないときには、前記増幅手段で増幅された信号を前記分配手段に供給する切替動作をするスイッチで形成されていること、を特徴とする。
【発明を実施するための最良の形態】
【００２４】
本発明の好適な実施形態について、図２と図３を参照して説明する。図２は、第１の実施形態における分配受信システムと分配器の構成を示すブロック図、図３は、第２の実施形態における分配受信システムと分配器の構成を示すブロック図である。
【００２５】
（第１の実施形態）
図２において、第１の実施形態における分配受信システムは、複数のチューナーＡ，Ｂの前段に設けられる分配器１を備えて構成されている。
【００２６】
分配器１は、入力端子Ｐ0を介して供給される入力信号Ｓinを交流カップリングして出力するコンデンサーＣ0と、該コンデンサーＣ0を通過した入力信号（混合信号）Ｓinを増幅し増幅信号Ｓginとして出力する増幅手段としてのアンプＡＭＰと、増幅信号Ｓginを分配信号Ｓgin1，Ｓgin2に分配して出力する分配手段としての分配回路ＤＶと、一方の分配信号Ｓgin1を交流カップリングし、出力端子Ｐ1を介してチューナーＡ側へ出力するコンデンサーＣ1と、他方の分配信号Ｓgin2を交流カップリングし、出力端子Ｐ2を介してチューナーＢ側へ出力するコンデンサーＣ2とを有し、更に、コイルＬ1を有する電源ラインＬＮ1が出力端子Ｐ1と入力端子Ｐ0間に接続されると共に、コイルＬ2を有する電源ラインＬＮ2が出力端子Ｐ2とアンプＡＭＰの電源供給接点（アンプＡＭＰの動作に必要な電源Ｖccを供給するための電源供給接点）の間に接続されている。また、分配器１にはグランド端子Ｐg1，Ｐg2が設けられている。
【００２７】
チューナーＡは、分配器１の出力端子Ｐ1に接続される入力端子Ｑaと、分配器１のグランド端子Ｐg1に接続されるグランド端子Ｑgaとを有し、例えば同軸ケーブルによって、出力端子Ｐ1と入力端子Ｑaが接続されると共に、グランド端子Ｐg1，Ｑgaが接続されるようになっている。そして、グランド端子Ｐg1，Ｑgaが接続されることで、出力端子Ｐ1と入力端子Ｑaとを接続する信号ラインが実現され、更にチューナーＡと分配器１のグランドＧＮＤが共通の電位に設定される。
【００２８】
更に、チューナーＡは、分配器１側から入力端子Ｑaを介して供給される分配信号Ｓgin1をコンデンサーＣＦaを介して入力し、発振器ＯＳＣaで発生する局発信号（符号略）とその分配信号Ｓgin1とを周波数変換回路ＭＩＸaでミキシングしてＩＦ信号を生成し、検波復調回路（図示略）によって検波復調する周知の構成を有している。更に、チューナーＡには、入力端子Ｑaに接続された電源供給回路ＶＲaが設けられ、電源供給回路ＶＲaから入力端子Ｑaに所定電圧の電源Ｖddを供給するようになっている。
【００２９】
チューナーＢは、分配器１の出力端子Ｐ2に接続される入力端子Ｑbと、分配器１のグランド端子Ｐg2に接続されるグランド端子Ｑgbとを有し、例えば同軸ケーブルによって、出力端子Ｐ2と入力端子Ｑbが接続されると共に、グランド端子Ｐg2，Ｑgbが接続されるようになっている。そして、グランド端子Ｐg2，Ｑgbが接続されることで、出力端子Ｐ2と入力端子Ｑbとを接続する信号ラインが実現され、更にチューナーＢと分配器１のグランドＧＮＤが共通の電位に設定される。
【００３０】
更に、チューナーＢは、分配器１側から入力端子Ｑbを介して供給される分配信号Ｓgin2をコンデンサーＣＦbを介して入力し、発振器ＯＳＣbで発生する局発信号（符号略）とその分配信号Ｓgin2とを周波数変換回路ＭＩＸbでミキシングしてＩＦ信号を生成し、検波復調回路（図示略）によって検波復調する周知の構成を有している。更に、チューナーＢには、入力端子Ｑbに接続された電源供給回路ＶＲbが設けられ、電源供給回路ＶＲbから入力端子Ｑbに所定電圧の電源Ｖccを供給するようになっている。
【００３１】
次に、かかる構成から成る分配受信システムと分配器１の動作について説明する。なお、チューナーＡ，Ｂは共に、ＢＳ放送波を受信して検波復調するＢＳチューナーであり、入力信号Ｓinが、ＢＳ放送波とＵＨＦ帯及びＶＨＦ帯の放送波との混合信号であるものとして説明する。
【００３２】
まず、チューナーＡ，Ｂが起動すると、電源供給回路ＶＲa，ＶＲbも起動する。そして、電源供給回路ＶＲaから入力端子Ｑaに電源Ｖddが供給される。これにより、電源Ｖddが、入力端子Ｑaと分配器１の出力端子Ｐ1と電源ラインＬＮ1及び入力端子Ｐ0を通じて、ＢＳアンテナに設けられているＢＳコンバーター（図示略）に供給され、そのＢＳコンバーターの動作に必要な給電がなされる。
【００３３】
更に、チューナーＢに設けられている電源供給回路ＶＲbから入力端子Ｑbに電源Ｖccが供給される。これにより、電源Ｖccが、入力端子Ｑbと分配器１の出力端子Ｐ2と電源ラインＬＮ2を通じてアンプＡＭＰに供給され、アンプＡＭＰの動作に必要な給電がなされる。
【００３４】
かかる状態で、分配器１の入力端子Ｐ0に入力信号（混合信号）Ｓinが供給されると、その混合信号ＳinはコンデンサーＣ0を介してアンプＡＭＰに入力されて所定増幅率で増幅され、増幅信号Ｓginとなって分配回路ＤＶで分配信号Ｓgin1，Ｓgin2に分配され、一方の分配信号Ｓgin1がコンデンサーＣ1を介して出力端子Ｐ1からチューナーＡ側へ出力され、チューナーＡにおいて、その分配信号Ｓgin1に含まれているＢＳ放送波を検波復調する処理等が行われる。また、他方の分配信号Ｓgin2がコンデンサーＣ2を介して出力端子Ｐ2からチューナーＢ側へ出力され、チューナーＢにおいて、その分配信号Ｓgin2に含まれているＢＳ放送波を検波復調する処理等が行われる。
【００３５】
以上に説明したように、分配器１は、チューナーＡ側に設けられている電源供給回路ＶＲ2から電源Ｖddの供給を受け、電源ラインＬＮ1と入力端子Ｐ0を通じてＢＳコンバーターに給電する構成となっている。このため、図１（ａ）に示した従来技術のように、外部から電源Ｖddを供給するための給電ケーブルが不要となり、その給電ケーブルを通じて外来ノイズ等が分配器１に混入する等の問題を未然に防止し、受信品質の向上を図ることができる。
【００３６】
更に、分配器１は、相互に接続されるチューナーＢの入力端子Ｑbと分配器１の出力端子Ｐ2とを介して、チューナーＢ側に設けられている電源供給回路ＶＲbから電源Ｖccの供給を受け、電源ラインＬＮ2を通じてアンプＡＭＰに給電する構成となっている。このため、図１（ａ）に示した従来技術のように、外部から電源Ｖccを供給するための給電ケーブルが不要となり、その給電ケーブルを通じて外来ノイズ等がアンプＡＭＰに混入する等の問題を未然に防止し、受信品質の向上を図ることができる。
【００３７】
更に、本実施形態の分配受信システムと分配器１は、従来技術では必要であった給電ケーブルが不要となるため、部品点数の低減が可能となり、更に給電ケーブルを配線する等の作業を不要にすることができる。
【００３８】
なお、ＢＳ放送波を受信する分配受信システムについて説明したが、チューナーＡ，Ｂが、ＣＳ放送波を受信するＣＳチューナー、ＵＨＦ帯及びＶＨＦ帯の放送波を受信するＵＨＦ／ＶＨＦチューナーであり、ＣＳ放送波とＵＨＦ帯及びＶＨＦ帯の放送波が混合した入力信号Ｓinを分配受信する場合にも、図２と同様の構成によって、受信品質の向上を図ることができる。
【００３９】
つまり、チューナーＡがＣＳチューナーである場合には、そのＣＳチューナーに設けられている電源供給回路ＶＲaから分配器１の電源ラインＬＮ1を通じて、ＣＳアンテナに設けられているＣＳコンバーターに電源Ｖddを給電することができ、チューナーＢがＵＨＦ／ＶＨＦチューナーである場合には、そのＵＨＦ／ＶＨＦチューナーに設けられている電源供給回路ＶＲbから分配器１の電源ラインＬＮ2を通じてアンプＡＭＰに電源Ｖccを給電することができ、外来ノイズ等の混入を未然に防止して受信品質の向上を図ることができる。
【００４０】
また、チューナーＡがＢＳチューナー又はＣＳチューナー、チューナーＢが地上ディジタル放送波を受信する地上ディジタルチューナーで、ＢＳ放送波又はＣＳ放送波と地上ディジタル放送波が混合した入力信号Ｓinを分配受信する場合にも、図２と同様の構成によって、受信品質の向上を図ることができる。
【００４１】
また、以上の第１の実施形態の説明では、別体の分配器１と各チューナーＡ，Ｂとを同軸ケーブル等で接続することとして説明したが、分配器１と各チューナーＡ，Ｂを同じ電気回路基板上に形成し、その電気回路基板に形成する配線パターンによって分配器１と各チューナーＡ，Ｂを接続してもよい。
【００４２】
また、以上の第１の実施形態の説明では、入力信号Ｓinを２分配する分配器１について説明したが、この分配器１を３分配、４分配などの多い分配型の分配器に発展させることも可能である。
【００４３】
（第２の実施形態）
次に、図３を参照して第２の実施形態を説明する。なお、図３において、図２と同一又は相当する部分を同一符号で示している。
【００４４】
本実施形態の分配受信システムは、複数のチューナーＡ，Ｂの前段に設けられる分配器１を備えて構成されている。
分配器１は、入力端子Ｐ0を介して供給される入力信号Ｓinを交流カップリングして出力するコンデンサーＣ0と、該コンデンサーＣ0を通過した入力信号（混合信号）Ｓinを増幅し増幅信号Ｓginとして出力するアンプＡＭＰと、増幅信号Ｓginを分配回路ＤＶに供給する切替スイッチＳＷと、切替スイッチＳＷを介して供給される増幅信号Ｓginを分配信号Ｓgin1，Ｓgin2に分配して出力する分配回路ＤＶと、一方の分配信号Ｓgin1を交流カップリングし、出力端子Ｐ1を介してチューナーＡ側へ出力するコンデンサーＣ1と、他方の分配信号Ｓgin2を交流カップリングし、出力端子Ｐ2を介してチューナーＢ側へ出力するコンデンサーＣ2とを有し、更に、コイルＬ1を有する電源ラインＬＮ1が、コンデンサーＣ0とアンプＡＭＰの入力接点との接続点に接続されると共に、コイルＬ2を有する電源ラインＬＮ2が出力端子Ｐ2とアンプＡＭＰの電源供給接点（アンプＡＭＰの動作に必要な電源Ｖccを供給するための電源供給接点）の間に接続されている。また、分配器１にはグランド端子Ｐg1，Ｐg2が設けられている。
【００４５】
ここで、上述の切替スイッチＳＷは、一方の切替接点ａが上述した電源ラインＬＮ1を介してコンデンサーＣ0とアンプＡＭＰの入力接点に接続され、他方の切替接点ｂがアンプＡＭＰの出力端子に接続され、出力接点ｃが分配回路ＤＶに接続された２入力１出力型のスイッチ素子で形成されている。そして、切替スイッチＳＷは、後述の電源供給回路ＶＲaからコイルＬ3を有する電源ラインＬＮ3を介して電源Ｖddが供給されると、図示するように切替接点ａに切り替わり、入力信号ＳinをアンプＡＭＰを介さずに分配器ＤＶに供給する。また、電源Ｖddが供給されないときには、切替接点ｂに切り替わって、アンプＡＭＰと分配器ＤＶを接続する。
【００４６】
チューナーＡは、分配器１の出力端子Ｐ1に接続される入力端子Ｑaと、分配器１のグランド端子Ｐg1に接続されるグランド端子Ｑgaとを有し、例えば同軸ケーブルによって、出力端子Ｐ1と入力端子Ｑaが接続されると共に、グランド端子Ｐg1，Ｑgaが接続されるようになっている。そして、グランド端子Ｐg1，Ｑgaが接続されることで、出力端子Ｐ1と入力端子Ｑaとを接続する信号ラインが実現され、更にチューナーＡと分配器１のグランドＧＮＤが共通の電位に設定される。
【００４７】
更に、チューナーＡは、分配器１側から入力端子Ｑaを介して供給される分配信号Ｓgin1をコンデンサーＣＦaを介して入力し、発振器ＯＳＣaで発生する局発信号（符号略）とその分配信号Ｓgin1とを周波数変換回路ＭＩＸaでミキシングしてＩＦ信号を生成し、検波復調回路（図示略）によって検波復調する周知の構成を有している。更に、チューナーＡには、入力端子Ｑaに接続された電源供給回路ＶＲaが設けられ、電源供給回路ＶＲaから入力端子Ｑaに所定電圧の電源Ｖddを供給するようになっている。
【００４８】
チューナーＢは、分配器１の出力端子Ｐ2に接続される入力端子Ｑbと、分配器１のグランド端子Ｐg2に接続されるグランド端子Ｑgbとを有し、例えば同軸ケーブルによって、出力端子Ｐ2と入力端子Ｑbが接続されると共に、グランド端子Ｐg2，Ｑgbが接続されるようになっている。そして、グランド端子Ｐg2，Ｑgbが接続されることで、出力端子Ｐ2と入力端子Ｑbとを接続する信号ラインが実現され、更にチューナーＢと分配器１のグランドＧＮＤが共通の電位に設定される。
【００４９】
更に、チューナーＢは、分配器１側から入力端子Ｑbを介して供給される分配信号Ｓgin2をコンデンサーＣＦbを介して入力し、発振器ＯＳＣbで発生する局発信号（符号略）とその分配信号Ｓgin2とを周波数変換回路ＭＩＸbでミキシングしてＩＦ信号を生成し、検波復調回路（図示略）によって検波復調する周知の構成を有している。更に、チューナーＢには、入力端子Ｑbに接続された電源供給回路ＶＲbが設けられ、電源供給回路ＶＲbから入力端子Ｑbに所定電圧の電源Ｖccを供給するようになっている。
【００５０】
次に、かかる構成から成る分配受信システムと分配器１の動作について説明する。なお、チューナーＡ，Ｂが、ＵＨＦ帯及びＶＨＦ帯の放送波を受信して検波復調するＵＨＦ／ＶＨＦチューナーであり、入力信号Ｓinが、ＢＳ放送波とＵＨＦ帯及びＶＨＦ帯の放送波との混合信号であるものとして説明する。
【００５１】
ユーザーがＵＨＦ又はＶＨＦ放送を視聴するため、例えばテレビジョン受像機を操作すると、チューナーＡが起動すると共に、電源供給回路ＶＲaも起動する。そして、電源供給回路ＶＲaから入力端子Ｑaに電源Ｖddが供給される。これにより、電源Ｖddが、入力端子Ｑaと分配器１の出力端子Ｐ1を通じて切替スイッチＳＷに入力され、電源Ｖddの供給を受けて切替スイッチＳＷが切替接点ａに切替わる動作をする。
【００５２】
かかる状態で、分配器１の入力端子Ｐ0に入力信号（混合信号）Ｓinが供給されると、その混合信号Ｓinは、入力端子Ｐ0と電源ラインＬＮ1及び切替スイッチＳＷの接点ａ，ｃを通じて分配回路ＤＶに供給され、分配回路ＤＶで分配信号Ｓgin1，Ｓgin2に分配されて、一方の分配信号Ｓgin1がコンデンサーＣ1を介して出力端子Ｐ1からチューナーＡ側へ出力され、他方の分配信号Ｓgin2がコンデンサーＣ2を介して出力端子Ｐ2からチューナーＢ側へ出力される。
そして、チューナーＡ，Ｂが分配信号Ｓgin1に含まれているＵＨＦ／ＶＨＦ放送波を検波復調する処理等を行い、ユーザーが所望する放送を視聴することが可能となる。
【００５３】
また、ユーザーがＵＨＦ帯又はＶＨＦ帯の放送を視聴するため、例えばテレビジョン受像機を操作すると、チューナーＢが起動すると共に、電源供給回路ＶＲbも起動する。そして、電源供給回路ＶＲbから入力端子Ｑbに電源Ｖccが供給される。これにより、電源Ｖccが、入力端子Ｑbと分配器１の出力端子Ｐ2と電源ラインＬＮ2を通じて、分配器１のアンプＡＭＰの電源供給接点に供給され、アンプＡＭＰの動作に必要な給電がなされる。切替スイッチＳＷは電源Ｖddが入力されずに切替接点ｂに切替わり、接点ｂ，ｃ間が接続状態となる。
【００５４】
かかる状態で、分配器１の入力端子Ｐ0に入力信号（混合信号）Ｓinが供給されると、その混合信号Ｓinは、入力端子Ｐ0とコンデンサーＣ0を介してアンプＡＭＰに入力されて所定増幅率で増幅され、増幅信号Ｓginとなって切替スイッチＳＷの接点ｃ，ｄを通って分配回路ＤＶに入力され、分配回路ＤＶで分配信号Ｓgin1，Ｓgin2に分配され、コンデンサーＣ1，Ｃ2を介して出力端子Ｐ1，Ｐ2からチューナーＡ，Ｂ側へ出力される。そして、チューナーＡ，Ｂが、分配信号Ｓgin1，Ｓgin2に含まれているＵＨＦ帯とＶＨＦ帯の放送波のうち、ユーザーが選局した放送波を検波復調する処理等を行う。
【００５５】
以上に説明したように本実施例の分配受信システムでは、分配器１は、チューナーＡ側に設けられている電源供給回路ＶＲaから出力端子Ｐ1を介して電源Ｖddの供給を受けて、切替スイッチＳＷに給電すると共に、入力信号（混合信号）Ｓinを入力端子Ｐ0とコンデンサーＣ0と電源ラインＬＮ1と切替スイッチＳＷを通じて分配回路ＤＶに入力し、分配した分配信号Ｓgin1，Ｓgin2をコンデンサーＣ1，Ｃ2と出力端子Ｐ1，Ｐ2を介してチューナーＡ，Ｂに供給する。このため、図１（ｂ）に示した従来技術のように、外部から電源Ｖddを供給するための給電ケーブルが不要となり、その給電ケーブルを通じて外来ノイズ等が分配器１に混入する等の問題を未然に防止し、受信品質の向上を図ることができる。
【００５６】
更に、分配器１は、チューナーＢに設けられている電源供給回路ＶＲbから出力端子を介して電源Ｖccの供給を受け、電源ラインＬＮ2を通じてアンプＡＭＰに給電すると共に、入力信号（混合信号）Ｓinを入力端子Ｐ0とコンデンサーＣ0とアンプＡＭＰと切替スイッチＳＷを通じて分配回路ＤＶに入力し、分配した分配信号Ｓgin1，Ｓgin2をコンデンサーＣ1，Ｃ2と出力端子Ｐ1，Ｐ2を介してチューナーＡ，Ｂに供給する。このため、図１（ｂ）に示した従来技術のように、外部から電源Ｖccを供給するための給電ケーブルが不要となり、その給電ケーブルを通じて外来ノイズ等がアンプＡＭＰに混入する等の問題を未然に防止し、受信品質の向上を図ることができる。
【００５７】
更に、本実施形態の分配受信システムと分配器１は、従来技術では必要であった給電ケーブルと制御ケーブルが不要となるため、部品点数の低減が可能となり、更に給電ケーブルと制御ケーブルを配線する等の作業を不要にすることができる。
【００５８】
なお、ＢＳ放送波とＵＨＦ帯及びＶＨＦ帯の放送波を受信する分配受信システムについて説明したが、チューナーＡ，ＢがＵＨＦ帯及びＶＨＦ帯の放送波を受信するＵＨＦ／ＶＨＦチューナーであり、ＣＳ放送波とＵＨＦ帯及びＶＨＦ帯の放送波が混合した入力信号Ｓinを分配受信する場合にも、図３と同様の構成によって、受信品質の向上を図ることができる。
【００５９】
また、チューナーＡがＢＳチューナー又はＣＳチューナー、チューナーＢが地上ディジタル放送波を受信する地上ディジタルチューナーで、ＢＳ放送波又はＣＳ放送波と地上ディジタル放送波が混合した入力信号Ｓinを分配受信する場合にも、図３と同様の構成によって、受信品質の向上を図ることができる。
【００６０】
また、切替スイッチＳＷは、図４（ａ）に例示するように、電源供給回路ＶＲaからの電源Ｖddの供給を受けて切替接点ａ側に切り替わり、電源Ｖddが供給されないときには切替接点ｂに切り替わる電磁リレーで形成してもよいし、図４（ｂ）に例示するように、電源供給回路ＶＲaからの電源Ｖddの供給を受けると、接点ａ，ｃ間を導通にし且つ接点ｂ，ｃ間を非導通（遮断）し、電源Ｖddの供給を受けないときには、接点ａ，ｃ間を非導通（遮断）にし且つ接点ｂ，ｃ間を導通にするアナログスイッチで形成してもよい。
【００６１】
ただし、切替スイッチＳＷを図４（ｂ）に例示したアナログスイッチで形成する場合には、一方のチューナーＡを起動させると他方のチューナーＢの電源供給回路ＶＲbも起動させ、その電源Ｖccをアナログスイッチに給電して動作させるように配線しておくことが望ましい。
【００６２】
また、以上の第２の実施形態の説明では、別体の分配器１と各チューナーＡ，Ｂとを同軸ケーブル等で接続することとして説明したが、分配器１と各チューナーＡ，Ｂを同じ電気回路基板上に形成し、その電気回路基板に形成する配線パターンによって分配器１と各チューナーＡ，Ｂを接続してもよい。
【００６３】
また、以上の第２の実施形態の説明では、入力信号Ｓinを２分配する分配器１について説明したが、この分配器１を３分配、４分配などの多い分配型の分配器に発展させることも可能である。
【図面の簡単な説明】
【００６４】
【図１】従来の分配受信システムの構成を表したブロック図である。
【図２】第１の実施形態に係る分配受信システムと分配器の構成を示したブロック図である。
【図３】第２の実施形態に係る分配受信システムと分配器の構成を示したブロック図である。
【図４】図３に示した切替スイッチの具体的な構成例を示した回路図である。
【符号の説明】
【００６５】
１…分配器
ＡＭＰ…アンプ
ＤＶ…分配回路
ＬＮ1，ＬＮ2…電源ライン
ＳＷ…切替スイッチ
Ａ，Ｂ…チューナー
ＶＲa，ＶＲb…電源供給回路
【図１】
2008294571.tif 000003
【図２】
2008294571.tif 000004
【図３】
2008294571.tif 000005
【図４】
2008294571.tif 000006